(57)【要約】【課題】  駆動電流値に対する発光効率が異なる複数種類の光源が存在する場合であっても、光源の消費電力を低下することを可能とする映像表示装置を提供する。【解決手段】  投写型映像表示装置１００は、第１光源及び第２光源を制御する制御部２２０を備える。第１光源及び第２光源には、基準発光期間が定められている。制御部２２０は、第１光源の発光期間が基準発光期間よりも短くなるように第１光源を制御し、第２光源の発光期間が基準発光期間よりも長くなるように第２光源を制御する。【選択図】図２
2012247630.tif 000002
【特許請求の範囲】
【請求項１】
駆動電流値が高いほど発光効率が高い第１光源と、駆動電流値が低いほど発光効率が高い第２光源とを備える映像表示装置であって、
前記第１光源及び前記第２光源を制御する制御部を備え、
前記第１光源及び前記第２光源には、基準発光期間が定められており、
前記制御部は、前記第１光源の発光期間が前記基準発光期間よりも短くなるように前記第１光源を制御し、前記第２光源の発光期間が前記基準発光期間よりも長くなるように前記第２光源を制御することを特徴とする映像表示装置。
【請求項２】
前記制御部は、前記第１光源の発光期間を決定してから、前記第２光源の発光期間を決定することを特徴とする請求項１に記載の映像表示装置。
【請求項３】
前記第１光源及び前記第２光源には、前記基準発光期間に加えて、基準駆動電流値が定められており、
前記制御部は、前記第１光源から出射される光の必要光量に応じて、前記第１光源の発光期間が前記基準発光期間よりも短く、前記第１光源の駆動電流値が前記基準駆動電流値よりも大きくなるように前記第１光源を制御し、
前記制御部は、前記第２光源から出射される光の必要光量に応じて、前記第２光源の発光期間が前記基準発光期間よりも長く、前記第２光源の駆動電流値が前記基準駆動電流値よりも小さくなるように前記第２光源を制御することを特徴とする請求項１に記載の映像表示装置。
【請求項４】
前記制御部は、映像入力信号に基づいて、前記第１光源から出射される光の必要光量及び前記第２光源から出射される光の必要光量を決定することを特徴とする請求項３に記載の映像表示装置。
【請求項５】
前記制御部は、前記第１光源に対応する映像信号の信号値の偏り度合いに応じて、前記第１光源の発光期間を決定することを特徴とする請求項１に記載の映像表示装置。
【発明の詳細な説明】
【技術分野】
【０００１】
本発明は、駆動電流値に対する発光効率が異なる複数の光源を備える映像表示装置に関する。
【背景技術】
【０００２】
従来、光源から出射される光を用いて映像を表示する映像表示装置が知られている。映像表示装置は、例えば、液晶モニター、テレビ、プロジェクタなどである。また、光源は、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などである。
【０００３】
ここで、光源の発光効率を高めることによって、光源の消費電力を低下する技術が提案されている。具体的には、最大駆動電流値に近い駆動電流値で光源を制御することによって、光源の発光効率が高められている。また、光源の発熱を抑制するために、光源がパルス駆動で制御される（例えば、特許文献１）。
【先行技術文献】
【特許文献】
【０００４】
【特許文献１】特開２００９−２９５５７１号公報
【発明の概要】
【発明が解決しようとする課題】
【０００５】
ところで、発明者らは、鋭意検討の結果、駆動電流値が高いほど発光効率が高い光源だけではなくて、駆動電流値が低いほど発光効率が高い光源が存在するという知見を得た。言い換えると、発明者らは、上述した技術では、光源の消費電力を低下することができないケースが存在するという知見を得た。
【０００６】
そこで、本発明は、上述した課題を解決するためになされたものであり、駆動電流値に対する発光効率が異なる複数種類の光源が存在する場合であっても、光源の消費電力を低下することを可能とする映像表示装置を提供することを目的とする。
【課題を解決するための手段】
【０００７】
第１の特徴に係る映像表示装置は、駆動電流値が高いほど発光効率が高い第１光源（例えば、光源１０Ｇ、光源１０Ｂ）と、駆動電流値が低いほど発光効率が高い第２光源（例えば、光源１０Ｒ）とを備える。映像表示装置は、前記第１光源及び前記第２光源を制御する制御部（制御部２２０）を備える。前記第１光源及び前記第２光源には、基準発光期間が定められている。前記制御部は、前記第１光源の発光期間が前記基準発光期間よりも短くなるように前記第１光源を制御し、前記第２光源の発光期間が前記基準発光期間よりも長くなるように前記第２光源を制御する。
【０００８】
第１の特徴において、前記制御部は、前記第１光源の発光期間を決定してから、前記第２光源の発光期間を決定する。
【０００９】
第１の特徴において、前記第１光源及び前記第２光源には、前記基準発光期間に加えて、基準駆動電流値が定められている。前記制御部は、前記第１光源から出射される光の必要光量に応じて、前記第１光源の発光期間が前記基準発光期間よりも短く、前記第１光源の駆動電流値が前記基準駆動電流値よりも大きくなるように前記第１光源を制御する。前記制御部は、前記第２光源から出射される光の必要光量に応じて、前記第２光源の発光期間が前記基準発光期間よりも長く、前記第２光源の駆動電流値が前記基準駆動電流値よりも小さくなるように前記第２光源を制御する。
【００１０】
第１の特徴において、前記制御部は、映像入力信号に基づいて、前記第１光源から出射される光の必要光量及び前記第２光源から出射される光の必要光量を決定する。
【００１１】
第１の特徴において、前記制御部は、前記第１光源に対応する映像信号の信号値の偏り度合いに応じて、前記第１光源の発光期間を決定する。
【発明の効果】
【００１２】
本発明によれば、駆動電流値に対する発光効率が異なる複数種類の光源が存在する場合であっても、光源の消費電力を低下することを可能とする映像表示装置を提供することができる。
【図面の簡単な説明】
【００１３】
【図１】図１は、第１実施形態に係る投写型映像表示装置１００を示す図である。
【図２】図２は、第１実施形態に係る制御ユニット２００を示す図である。
【図３】図３は、第１実施形態に係る第１光源の特性カーブを示す図である。
【図４】図４は、第１実施形態に係る第２光源の特性カーブを示す図である。
【図５】図５は、第１実施形態に係る発光期間及び駆動電流値を説明するための図である。
【図６】図６は、第１実施形態に係る発光期間及び駆動電流値を説明するための図である。
【図７】図７は、変更例１に係る発光期間及び駆動電流値を説明するための図である。
【図８】図８は、変更例１に係る発光期間及び駆動電流値を説明するための図である。
【図９】図９は、変更例３に係る第２光源の特性カーブを示す図である。
【発明を実施するための形態】
【００１４】
以下において、本発明の実施形態に係る映像表示装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る映像表示装置は、駆動電流値が高いほど発光効率が高い第１光源と、駆動電流値が低いほど発光効率が高い第２光源とを備える。映像表示装置は、前記第１光源及び前記第２光源を制御する制御部を備える。前記第１光源及び前記第２光源には、基準発光期間が定められている。前記制御部は、前記第１光源の発光期間が前記基準発光期間よりも短くなるように前記第１光源を制御し、前記第２光源の発光期間が前記基準発光期間よりも長くなるように前記第２光源を制御する。
【００１７】
実施形態によれば、制御部は、第１光源の発光期間が基準発光期間よりも短くなるように第１光源を制御し、第２光源の発光期間が基準発光期間よりも長くなるように第２光源を制御する。従って、駆動電流値に対する発光効率が異なる複数種類の光源が存在する場合であっても、光源の消費電力を低下することができる。
【００１８】
［第１実施形態］
（映像表示装置の構成）
以下において、第１実施形態に係る映像表示装置について説明する。図１は、第１実施形態に係る投写型映像表示装置１００を示す図である。なお、第１実施形態では、映像表示装置として、投写型映像表示装置１００を例示するに過ぎない。映像表示装置は、液晶モニターやテレビであってもよい。
【００１９】
図１に示すように、投写型映像表示装置１００は、光源１０（光源１０Ｒ、光源１０Ｇ及び光源１０Ｂ）と、ミラー２０と、ミラー３０と、ミラー４０と、ロッドインテグレータ５０と、反射ミラー６０と、ＤＭＤ７０と、投写ユニット８０とを有する。また、投写型映像表示装置１００は、必要なレンズ群を有する。
【００２０】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｇは、緑成分光Ｇを出射する光源であり、例えば、緑ＬＥＤや緑ＬＤである。光源１０Ｂは、青成分光Ｂを出射する光源であり、例えば、青ＬＥＤや青ＬＤである。
【００２１】
ミラー２０は、赤成分光Ｒを反射するミラーである。ミラー３０は、光源１０Ｇから出射される緑成分光Ｇを反射し、ミラー２０で反射される赤成分光Ｒを透過するダイクロイックミラーである。ミラー４０は、光源１０Ｂから出射される青成分光Ｂを透過し、ミラー３０で合成された赤成分光Ｒ及び緑成分光Ｇを反射するダイクロイックミラーである。
【００２２】
第１実施形態において、ミラー３０及びミラー４０は、赤成分光Ｒ、緑成分光Ｇ及び青成分光Ｂを合成する色合成部を構成する。
【００２３】
ロッドインテグレータ５０は、光源１０から出射される光を均一化する均一化手段の一例である。具体的には、ロッドインテグレータ５０は、光入射面と、光出射面と、光入射面の外周から光出射面の外周に亘って設けられる光反射側面とを有する。詳細には、ロッドインテグレータ５０は、光反射側面で色成分光を反射することによって、色成分光を均一化する。なお、ロッドインテグレータ５０は、ガラスなどによって構成される中実ロッドであってもよく、ミラー面によって内面が構成される中空ロッドであってもよい。
【００２４】
反射ミラー６０は、ロッドインテグレータ５０から出射された光をＤＭＤ７０に導くミラーである。
【００２５】
ＤＭＤ７０は、複数の微小ミラーによって構成されており、複数の微小ミラーは可動式である。ＤＭＤ７０は、各微小ミラーの角度を変更することによって、ミラー３０及びミラー４０によって合成される光を投写ユニット８０へ反射するか否かを切り替える。
【００２６】
投写ユニット８０は、ＤＭＤ７０から出射される映像光を投写面に投写する。
【００２７】
（制御ユニットの構成）
以下において、第１実施形態に係る制御ユニットについて、図面を参照しながら説明する。図２は、第１実施形態に係る制御ユニット２００を示すブロック図である。制御ユニット２００は、投写型映像表示装置１００に設けられており、投写型映像表示装置１００を制御する。
【００２８】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する画素毎に入力される信号である。例えば、映像入力信号及び映像出力信号の最大値は、“２５５”であり、映像入力信号及び映像出力信号の最小値は、“０”である。
【００２９】
図２に示すように、制御ユニット２００は、映像信号取得部２１０と、制御部２２０とを有する。
【００３０】
映像信号取得部２１０は、ＤＶＤやＴＶチューナなどの外部装置（不図示）から映像入力信号（赤入力信号Ｒｉｎ、緑入力信号Ｇｉｎ、青入力信号Ｂｉｎ）を受付ける。
【００３１】
制御部２２０は、投写型映像表示装置１００を制御する。例えば、制御部２２０は、光源１０及びＤＭＤ７０を制御する。
【００３２】
ここで、第１実施形態では、光源１０（光源１０Ｒ、光源１０Ｇ及び光源１０Ｂ）は、駆動電流値が高いほど発光効率が高い第１光源と、駆動電流値が低いほど発光効率が高い第２光源とを含む。
【００３３】
第１に、第１光源は、例えば、図３に示す特性カーブを有する。図３に示すように、駆動電流値が閾値Ｔｈ以下である場合に、第１光源の発光量は、“０”である。駆動電流値が閾値Ｔｈよりも大きい場合に、駆動電流値が大きいほど、第１光源の発光量が大きい。例えば、駆動電流値と第１光源の発光量とは比例関係を有する。全体としては、駆動電流値が大きいほど、第１光源の発光効率が高いことに留意すべきである。
【００３４】
ここで、第１光源には、基準駆動電流値が定められている。基準駆動電流値は、一般的な状態で用いられる駆動電流値であり、例えば、第１光源の製造者によって定められる。
【００３５】
第１光源には、上限駆動電流値が定められている。上限駆動電流値は、駆動電流値が超えてはならない値であり、例えば、第１光源の製造者によって定められる。なお、駆動電流値が上限駆動電流値を超える場合には、第１光源の破壊が生じる可能性があることに留意すべきである。
【００３６】
第１光源には、基準発光期間が定められている。基準発光期間は、例えば、映像を再現する基準色の数によって１フレーム期間が等分された期間である。例えば、基準色が赤、緑及び青である場合には、基準発光期間は、１フレーム期間の１／３である。但し、基準発光期間は、予め定められていればよく、必ずしも１フレーム期間が等分された期間でなくてもよい。
【００３７】
第２に、第２光源は、例えば、図４に示す特性カーブを有する。図４に示すように、駆動電流値が大きいほど、第２光源の発光量が小さい。このように、全体としては、駆動電流値が小さいほど、第２光源の発光効率が高いことに留意すべきである。
【００３８】
ここで、第２光源には、第１光源と同様に、基準駆動電流値、上限駆動電流値及び基準発光期間が定められている。
【００３９】
なお、第１光源は、例えば、ＬＤ（Ｌａｓｅｒ  Ｄｉｏｄｅ）であり、第２光源は、例えば、ＬＥＤ（Ｌｉｇｈｔ  Ｅｍｉｔｔｉｎｇ  Ｄｉｏｄｅ）である。但し、第１光源及び第２光源の材料によっては、第１光源がＬＥＤであり、第２光源がＬＤであってもよい。或いは、第１光源及び第２光源の双方がＬＥＤであってもよく、第１光源及び第２光源の双方がＬＤであってもよい。
【００４０】
このようなケースにおいて、制御部２２０は、第１光源の発光期間が基準発光期間よりも短くなるように第１光源を制御し、第２光源の発光期間が基準発光期間よりも長くなるように第２光源を制御する。
【００４１】
例えば、映像の輝度を一律に低下するケースにおいて、第１光源の発光期間が基準発光期間よりも短くなるように第１光源が制御され、第２光源の発光期間が基準発光期間よりも長くなるように第２光源が制御される。
【００４２】
なお、制御部２２０は、第１光源の発光期間（すなわち、短縮可能な期間）を決定してから、第２光源の発光期間（すなわち、延長可能な期間）を決定することが好ましい。詳細には、第１光源の発光期間（短縮可能な期間）を先に決定することによって、第２光源の発光期間（延長可能な期間）が容易に決定可能である。逆に、第２光源の発光期間（延長可能な期間）を先に決定しようとすると、第２光源の発光期間が延長可能な期間を確定することができないことに留意すべきである。
【００４３】
例えば、光源１０Ｒが第２光源であり、光源１０Ｇ及び光源１０Ｂが第１光源であるケースについて例示する。
【００４４】
通常状態であれば、図５に示すように、光源１０Ｒ、光源１０Ｇ及び光源１０Ｂの駆動電流値は、基準駆動電流値であり、光源１０Ｒ、光源１０Ｇ及び光源１０Ｂの発光期間は、基準発光期間である。
【００４５】
これに対して、光源１０Ｒ、光源１０Ｇ及び光源１０Ｂから出射される光量の量を一律に半減する場合には、図６に示すように、光源１０Ｇ及び光源１０Ｂの発光期間が基準発光期間よりも短くなるように光源１０Ｇ及び光源１０Ｂが制御され、光源１０Ｒの発光期間が基準発光期間よりも長くなるように光源１０Ｒが制御される。
【００４６】
なお、緑成分光Ｇ及び青成分光Ｂの光量に対して赤成分光Ｒの光量が相対的に大きくなるため、光源１０Ｒは、基準駆動電流値よりも小さい駆動電流値で制御される。
【００４７】
（作用及び効果）
第１実施形態によれば、制御部２２０は、第１光源の発光期間が基準発光期間よりも短くなるように第１光源を制御し、第２光源の発光期間が基準発光期間よりも長くなるように第２光源を制御する。従って、駆動電流値に対する発光効率が異なる複数種類の光源が存在する場合であっても、光源の消費電力を低下することができる。
【００４８】
［変更例１］
以下において、第１実施形態の変更例１について説明する。以下においては、第１実施形態に対する相違点について主として説明する。
【００４９】
変更例１では、制御部２２０は、第１光源から出射される光の必要光量に応じて、第１光源の発光期間が基準発光期間よりも短く、第１光源の駆動電流値が基準駆動電流値よりも大きくなるように第１光源を制御する。また、制御部２２０は、第２光源から出射される光の必要光量に応じて、第２光源の発光期間が基準発光期間よりも長く、第２光源の駆動電流値が基準駆動電流値よりも小さくなるように第２光源を制御する。
【００５０】
ここで、必要光量は、光源１０から出射される光の光量及び映像入力信号によって定まることに留意すべきである。光源１０から出射される光の光量は、駆動電流値及び発光期間によって定まる。
【００５１】
なお、制御部２２０は、第１光源の発光期間（すなわち、短縮可能な期間）を決定してから、第２光源の発光期間（すなわち、延長可能な期間）を決定することが好ましい。
【００５２】
例えば、光源１０Ｒが第２光源であり、光源１０Ｇ及び光源１０Ｂが第１光源であるケースについて例示する。
【００５３】
通常状態であれば、図７に示すように、光源１０Ｒ、光源１０Ｇ及び光源１０Ｂの駆動電流値は、基準駆動電流値であり、光源１０Ｒ、光源１０Ｇ及び光源１０Ｂの発光期間は、基準発光期間である。
【００５４】
これに対して、必要光量に応じて、駆動電流値及び発光期間を制御する場合には、図８に示すように、光源１０Ｇ及び光源１０Ｂの発光期間が基準発光期間よりも短く、かつ、光源１０Ｇ及び光源１０Ｂの駆動電流値が基準駆動電流値よりも大きくなるように光源１０Ｇ及び光源１０Ｂが制御される。一方で、光源１０Ｒの発光期間が基準発光期間よりも長く、かつ、光源１０Ｒの駆動電流値が基準駆動電流値よりも小さくなるように光源１０Ｒが制御される。
【００５５】
このようなケースにおいて、駆動電流値及び発光期間の乗算結果（すなわち、光源１０から出射される光の光量）が基準駆動電流値及び基準発光期間の乗算結果と変わらないように、駆動電流値及び発光期間が決定されてもよい。
【００５６】
或いは、映像入力信号の信号伸張を行って、赤、緑及び青のカラーバランスを維持してもよい。言い換えると、映像入力信号、基準駆動電流値及び基準発光期間の乗算結果（必要光量）に応じて、信号伸張量、駆動電流値及び発光期間が決定される。
【００５７】
なお、変更例１においては、駆動電流値が基準駆動電流値よりも大きくなるように制御されるが、駆動電流値は、上述した上限駆動電流値を超えないことは勿論である。また、発光期間の下限は、ＤＭＤ７０によって表現すべき階調数を維持するために必要な最小期間である。例えば、後述する変更例２に示すように、ＤＭＤ７０によって表現すべき階調数が短いほど、発光期間の下限が小さい。
【００５８】
［変更例２］
以下において、第１実施形態の変更例２について説明する。以下においては、第１実施形態に対する相違点について主として説明する。
【００５９】
変更例２では、制御部２２０は、第１光源に対応する映像信号（映像入力信号）の信号値の偏り度合いに応じて、第１光源の発光期間（すなわち、短縮可能な期間）を決定する。
【００６０】
具体的には、光変調素子として、時分割で光を反射することによって映像の階調を表現する素子（例えば、ＤＭＤ７０）が設けられるケースについて説明する。このようなケースでは、第１光源の発光期間が基準発光期間よりも短くなると、ＤＭＤ７０によって表現可能な階調数が減少する。
【００６１】
従って、変更例２では、映像入力信号の信号値の偏り度合いに応じて、第１光源の発光期間（すなわち、短縮可能な期間）が決定される。
【００６２】
なお、映像入力信号の信号値の偏り度合いは、１フレームの映像入力信号の信号値の分散、１フレームの映像入力信号の最大値と最小値との差異、１フレームの映像入力信号のうち、実際に使用される階調数などである。
【００６３】
制御部２２０は、映像入力信号の信号値の偏り度合いが大きいほど、第１光源の発光期間を短縮する。
【００６４】
但し、色バランスの維持が必須である場合には、駆動電流値が上限駆動電流値を超えないこと、信号伸張が可能であることなどが条件である。言い換えると、制御部２２０は、駆動電流値の増大や信号伸張によって色バランスを維持可能な範囲で、映像入力信号の信号値の偏り度合いが大きいほど、第１光源の発光期間を短縮する。
【００６５】
［変更例３］
以下において、第１実施形態の変更例３について説明する。以下においては、第１実施形態に対する相違点について主として説明する。
【００６６】
変更例３では、光源１０（光源１０Ｒ、光源１０Ｇ及び光源１０Ｂ）が複数の光源によって構成される光源アレイであるケースについて説明する。
【００６７】
このようなケースでは、制御部２２０は、単位光量を減少するために減少すべき駆動電流値が大きい光源から順に駆動電流値を減少する。
【００６８】
ここでは、光源１０が第２光源であるケースについて例示する。例えば、図９に示すように、第２光源として、光源Ａ〜光源Ｃが設けられるケースについて説明する。
【００６９】
制御部２２０は、光源Ａ〜光源Ｃのうち、単位光量を減少するために減少すべき駆動電流値が大きい光源から順に駆動電流値を減少する。言い換えると、制御部２２０は、図９に示す特性カーブの傾きが緩やかな光源から順に駆動電流値を減少する。
【００７０】
例えば、図９に示す状態において、光源Ａ〜光源Ｃの駆動電流値が基準駆動電流値である場合において、第１に、光源Ｃの特性カーブが最も緩やかであるため、光源Ｃの駆動電流値を減少する。光源Ｃの駆動電流値が減少すると、光源Ｂの特性カーブが光源Ｃの特性カーブよりも緩やかになる。このような場合には、光源Ｂの駆動電流値を減少する。
【００７１】
これによって、第２光源の発光量を減少する場合において、第２光源の駆動電流値を効率的に減少することができる。
【００７２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７３】
実施形態では、光変調素子として、ＤＭＤ７０を例示した。しかしながら、実施形態は、これに限定されるものではない。光変調素子は、透過型液晶パネルであってもよく、反射型液晶パネルであってもよい。
【００７４】
変更例１では、第１光源の発光期間を短縮する場合に、第１光源の駆動電流値の増大及び信号伸張によって、色バランスを維持するケースについて例示した。しかしながら、実施形態は、これに限定されるものではない。例えば、制御部２２０は、第１光源の発光期間によって不足する光量を信号伸張のみによって補ってもよい。
【符号の説明】
【００７５】
１０…光源、２０…ミラー、３０…ミラー、４０…ミラー、５０…ロッドインテグレータ、６０…反射ミラー、７０…ＤＭＤ、８０…投写ユニット、１００…投写型映像表示装置、２００…制御ユニット、２１０…映像信号取得部、２２０…制御部
【図１】
2012247630.tif 000003
【図２】
2012247630.tif 000004
【図３】
2012247630.tif 000005
【図４】
2012247630.tif 000006
【図５】
2012247630.tif 000007
【図６】
2012247630.tif 000008
【図７】
2012247630.tif 000009
【図８】
2012247630.tif 000010
【図９】
2012247630.tif 000011